(57)【要約】【課題】使用時に十分な水素濃度を確保できる簡易な高水素濃度水製造用構造物を提供する。【解決手段】側面に複数の穴１４があけられ、一方側の端部に開口２８を有し、他方側の端部が閉じられた柱状容器１０の中に布製の袋２０を入れ、この中にマグネシウムとトルマリンを含む高水素濃度化剤２２を収容して高水素濃度水製造用構造物を構成する。この高水素濃度水製造用構造物を水の容器中に水とともに入れ、手で振ることにより、水とマグネシウムとが接触して水素が発生する。水素は水とマグネシウムとが接触している限り発生し続けるので、使用時に十分な溶存水素濃度を有する高水素濃度水を得ることができる。【選択図】        図２
2004174301.tif 000002
【特許請求の範囲】
【請求項１】
側面に複数の穴があけられ、一方側の端部が開口し他方側の端部が閉じられた柱状容器と、
頂部に少なくとも１つの穴があけられ、前記開口を覆う蓋と、
前記柱状容器の中に収容された布製の袋と、
前記布製の袋の中に収容され、水中の溶存水素濃度を高くするための高水素濃度化剤と、
を備えることを特徴とする高水素濃度水製造用構造物。
【請求項２】
請求項１記載の高水素濃度水製造用構造物において、前記高水素濃度化剤は、５００ｍｌの水に対して前記布製の袋の中に５ｇ以上収容されていることを特徴とする高水素濃度水製造用構造物。
【請求項３】
請求項１または請求項２記載の高水素濃度水製造用構造物において、前記高水素濃度化剤はマグネシウムであることを特徴とする高水素濃度水製造用構造物。
【請求項４】
請求項３記載の高水素濃度水製造用構造物において、前記高水素濃度化剤はトルマリンを含むことを特徴とする高水素濃度水製造用構造物。
【請求項５】
請求項４記載の高水素濃度水製造用構造物において、前記柱状容器の中に収容された布製の袋の中には、トルマリン層とマグネシウム層とが存在し、前記トルマリン層が前記マグネシウム層より前記蓋から遠い位置に配置されていることを特徴とする高水素濃度水製造用構造物。
【請求項６】
請求項１から請求項５のいずれか一項記載の高水素濃度水製造用構造物は、同一形状のものが同時に２本以上使用されることを特徴とする高水素濃度水製造用構造物。
【発明の詳細な説明】
【０００１】
【発明の属する技術分野】
本発明は、水中の溶存水素濃度を高くするための高水素濃度水製造用構造物の改良に関する。
【０００２】
【従来の技術】
従来より、溶存水素濃度を高めた水を飲用に使用すると、人体内の活性酸素を減少でき、健康の維持増進に効果があることが知られている。また、溶存水素濃度が高く還元力のある水を使用して洗顔等を行うと、肌の汚れが落ちやすく、肌への水分補給を行いやすいので、肌の老化の抑制に効果があることも知られている。このような、水中の溶存水素濃度が高められた高水素濃度水を製造するための装置の例が、特許文献１に記載されている。
【０００３】
【特許文献１】特開２００２−３０１４８３
【０００４】
【発明が解決しようとする課題】
しかし、上記従来例においては、水中に水素を吹き込むための特別の大がかりな装置が必要であり、家庭用、個人用の用途、特に携帯用途に適さないという問題があった。
【０００５】
また、家庭用の電気分解式の装置等により製造した高水素濃度水をＰＥＴ（ポリエチレンテレフタラート）ボトル等に詰めて、使用時まで保存しておくことも考えられるが、水素は非常に軽い気体なので短時間で水中から空気中に放散してしまい、使用時に十分な水素濃度を確保できないという問題もあった。
【０００６】
本発明は、上記従来の課題に鑑みなされたものであり、その目的は、使用時に十分な水素濃度を確保できる簡易な高水素濃度水製造用構造物を提供することにある。
【０００７】
【課題を解決するための手段】
上記目的を達成するために、本発明は、高水素濃度水製造用構造物であって、側面に複数の穴があけられ、一方側の端部が開口し他方側の端部が閉じられた柱状容器と、頂部に少なくとも１つの穴があけられ、前記開口を覆う蓋と、前記柱状容器の中に収容された布製の袋と、前記布製の袋の中に収容され、水中の溶存水素濃度を高くするための高水素濃度化剤と、を備えることを特徴とする。
【０００８】
上記構成によれば、柱状容器中に、布製の袋に収容された高水素濃度化剤を入れるので、水中で振ったときに布製の袋が振動に合わせて変形し、攪拌効果により水と高水素濃度化剤との接触が促進される。
【０００９】
また、上記高水素濃度水製造用構造物において、前記高水素濃度化剤は、５００ｍｌの水に対して前記布製の袋の中に５ｇ以上収容されていることを特徴とする。この高水素濃度化剤は、マグネシウムであることが好適である。さらに、この高水素濃度化剤は、トルマリンを含むことが好適である。
【００１０】
上記各構成によれば、マグネシウムと水とが接触している限り十分な水素を常に発生でき、使用時に十分な水素濃度を容易に確保することができる。
【００１１】
また、上記高水素濃度水製造用構造物において、前記柱状容器の中に収容された布製の袋の中には、トルマリン層とマグネシウム層とが存在し、前記トルマリン層が前記マグネシウム層より前記蓋から遠い位置に配置されていることを特徴とする。
【００１２】
上記構成によれば、水中で柱状容器が蓋の側を上にして立つので、蓋の頂部の穴から発生した水素が抜けやすい。
【００１３】
また、上記高水素濃度水製造用構造物は、同一形状のものが同時に２本以上使用されることを特徴とする。
【００１４】
上記構成によれば、ＰＥＴボトル等に入れて使用する際、水を飲むときにボトルの口から高水素濃度水製造用構造物が飛び出すことを防止できる。
【００１５】
【発明の実施の形態】
以下、本発明の実施の形態（以下実施形態という）を、図面に従って説明する。
【００１６】
図１には、本発明にかかる高水素濃度水製造用構造物の一実施形態の外形の斜視図が示される。図１において、高水素濃度水製造用構造物は、柱状容器１０と柱状容器１０の蓋１２とを備えている。この柱状容器１０は、円柱状、角柱状のいずれでもよい。また、柱状容器１０の側面には、複数の穴１４があけられており、一方側の端部が開口し他方側の端部が閉じられている。上記蓋１２は、柱状容器１０の開口を覆うように構成されており、その頂部には少なくとも１つの穴１５があけられている。
【００１７】
上記柱状容器１０の中には、布製の袋と、この布製の袋に収容された水中の溶存水素濃度を高くするための高水素濃度化剤とが収容されている。図２（ａ）〜（ｇ）には、柱状容器１０の中に布製の袋と高水素濃度化剤とを収容して本実施形態にかかる高水素濃度水製造用構造物を組み立てる際の工程図が示される。
【００１８】
図２（ａ）において、まず所定の大きさの矩形状の布１６を用意する。この布１６としては、オーガンジー等の薄くて織目の細かいものが好適である。また、布１６の素材としては、ポリエステル等の化学繊維を使用することができる。
【００１９】
次に、図２（ｂ）に示されるように、上記布１６を一辺に平行な中心線で２つに折り、破線１８で示された位置で縫い合わせて一方の端部が開口した袋状にする。このように、袋状にした布１６を中表にし、図２（ｃ）に示されるような布製の袋２０とする。
【００２０】
次に、図２（ｄ）に示されるように、上記布製の袋２０の中に、水中の溶存水素濃度を高くするための高水素濃度化剤２２を入れる。この高水素濃度化剤２２としては、マグネシウムが好適である。また、高水素濃度化剤２２には、トルマリン（電気石）を含むことが好適である。トルマリンは、水分子のクラスターを小さくする作用があり、飲用にされる水の味を向上させたり、肌につけたときの吸収を良くして肌への水分補給を容易にすることができるからである。マグネシウムとトルマリンとを布製の袋２０の中に入れる場合は、最初にマグネシウムを入れ、次にトルマリンを入れる。これにより、布製の袋２０の中には、マグネシウム層２４とトルマリン層２６とが分離して存在することになる。
【００２１】
次に、図２（ｅ）に示されるように、布製の袋２０の中に高水素濃度化剤２２が収容された状態で破線１８の位置で縫い合わせ、布製の袋２０の口を閉じる。このようにして口が閉じられた布製の袋２０は、図２（ｆ）に示されるように、閉じた口の方を下にして柱状容器１０の開口２８から柱状容器１０の中に収容される。柱状容器１０は、前述したように、一方側の端部に開口２８が形成され、他方側の端部が閉じられているので、布製の袋２０は閉じられた端部すなわち柱状容器１０の底部３０に接するまで柱状容器１０の中に入れられる。
【００２２】
次に、図２（ｇ）に示されるように、柱状容器１０の開口２８を蓋１２で覆い、本実施形態にかかる高水素濃度水製造用構造物とする。この際、蓋１２の内径と柱状容器１０の外形とをほぼ同じ値として、蓋１２を柱状容器１０に嵌め合わせ、開口２８を覆った時に摩擦力により互いに外れない構成とするのが好適である。なお、蓋１２の外形と柱状容器１０の開口２８の内径とをほぼ同じ値として、蓋１２を開口２８に押し込み、開口２８に栓をした時に摩擦力により互いに外れない構成としてもよい。
【００２３】
以上のようにして組み立てた本実施形態にかかる高水素濃度水製造用構造物を水の中に入れると、水がマグネシウムに接して水素が発生する。この発生した水素が水に溶け、水中の溶存水素濃度が高くなるので、高水素濃度水を製造することができる。このように、本実施形態にかかる高水素濃度水製造用構造物を水を入れた容器の中に入れ、必要に応じてその容器を手で振るだけで、容易に高水素濃度水を製造できる。また、水がマグネシウムに接している限り水素が発生し続けるので、飲用その他の用途に使用する時に十分な水素濃度の高水素濃度水を確保することができる。
【００２４】
また、高水素濃度化剤２２は布製の袋２０の中に収容されているので、水中で本実施形態にかかる高水素濃度水製造用構造物を振ると、布製の袋２０が振動に合わせて変形し、高水素濃度化剤２２の攪拌効果が生じて高水素濃度化剤２２と水との接触が促進されるという効果がある。これにより、水素の発生を促進することができる。
【００２５】
上述した布製の袋２０は、閉じた口の方を下にして柱状容器１０に収容されているので、閉じた口に近い方のトルマリン層２６がマグネシウム層２４よりも柱状容器１０の底部３０に近くなり、トルマリン層２６がマグネシウム層２４よりも蓋１２から遠くなる。ここで、マグネシウムは密度が１．７４ｇ／ｃｍ３であるが、粒状または粉状のものは軽くて水に浮いてしまう。これに対して、トルマリンは、密度が３．０〜３．３ｇ／ｃｍ３であり、重いので水に沈む。したがって、上述のようにトルマリン層２６をマグネシウム層２４よりも蓋１２から遠い位置に配置すると、本実施形態にかかる高水素濃度水製造用構造物を水の中に入れた場合、トルマリン層２６に近い柱状容器１０の底部３０が下に沈み、蓋１２の側が上になるように立った状態となる。このため、マグネシウムに水が触れて発生した水素が、蓋１２の頂部に設けられた穴１５から抜けやすくなる。
【００２６】
なお、図２（ｄ）に示されたように、マグネシウム層２４とトルマリン層２６とを分離して存在させずに、マグネシウムとトルマリンとを混合して布製の袋２０に入れてもよい。この場合、前述のように、布製の袋２０を柱状容器１０の底部３０に接するまで入れると、柱状容器１０の蓋１２の近傍に空間ができ、これによって柱状容器１０の底部３０側と蓋１２側で比重差ができ、底部３０側が重くなるので、水中で蓋１２側を上にして高水素濃度水製造用構造物を立てることができる。
【００２７】
図３には、高水素濃度化剤２２として使用するマグネシウムの使用量と水の酸化還元電位及び残留塩素濃度との関係が示される。図３に示された結果は、図２（ａ）〜（ｇ）に示された工程にしたがって、トルマリン９ｇとマグネシウムのそれぞれ１ｇ、３ｇ、５ｇ、７ｇとを入れた布製の袋２０を柱状容器１０に収容して組み立てた高水素濃度水製造用構造物を通常の水道水５００ｍｌ中に入れ、それぞれ手で１０秒間振った後３分間放置して測定したものである。使用した水道水は、酸化還元電位が＋６２０ｍｖであり、残留塩素濃度が１．２ｐｐｍ、ｐＨは中性であった。この実測値が表１に示される。
【００２８】
【表１】
2004174301.tif 000003
なお、本実測値の測定には、酸化還元電位計として、アメリカンマクリーンインク社製ピンポイントＯＲＰモニター酸化還元電位計を使用し、残留塩素濃度計として、タニタＥＷ−５００を使用した。この時の残留塩素測定試薬はオルトトリジンであった。また、ｐＨ（水素イオン指数）はフェノールフタレイン溶液を使用して測定した。
【００２９】
上記表１及び図３からわかるように、マグネシウムの使用量を水５００ｍｌに対して５ｇ以上とすると、酸化還元電位が急激に負の値となり、還元力の十分な水となる。これは、水がマグネシウムと接触して十分な量の水素が発生したためである。一方、マグネシウムの使用量が水５００ｍｌに対して５ｇより少ないと水素の発生量が不十分であるので酸化還元電位が大きな正の値のままであり、十分な還元力を得られなかった。さらに、マグネシウムの使用量を水５００ｍｌに対して５ｇより多くしても水の還元力に大きな向上はなかった。
【００３０】
次に、水中の残留塩素濃度についても、マグネシウムの使用量を水５００ｍｌに対して５ｇ以上とすると０．０５ｐｐｍまで低下し、その際の水のｐＨもアルカリ性を示した。これは、水中の残留塩素がマグネシウムと反応して塩化マグネシウムとなってマグネシウム粒子の表面等に析出し、水中から除去されるからである。また、マグネシウムが水中に溶解することにより、ミネラルを含んだアルカリ性の水となり、飲料水等に使用すれば健康に良い影響を与えることができる。なお、マグネシウムの使用量が水５００ｍｌに対して５ｇより少ないと、残留塩素濃度が十分低くならず、ｐＨも中性から弱アルカリ性に留まった。また、マグネシウムの使用量を水５００ｍｌに対して５ｇより多くしても残留塩素濃度、ｐＨともに大きな変化はなかった。
【００３１】
以上より、本発明にかかる高水素濃度水製造用構造物には、水５００ｍｌに対して５ｇ以上のマグネシウムを使用することが好適であることがわかる。ただし、マグネシウムの量を多くすると、柱状容器１０の大きさも大きくなり、飲料水の入ったＰＥＴボトル等に高水素濃度水製造用構造物を入れて携帯することが困難または不可能になる。このため、マグネシウムの使用量は水５００ｍｌに対して７ｇ以下とすることが好適である。なお、このマグネシウムの使用量は、水の量に比例して増減させる。この場合、上限とした水５００ｍｌに対して７ｇの値は、下限である水５００ｍｌに対して５ｇの値以上であれば、使用する水の容器に応じて適宜変更できる。例えば、５０ｍｌ程度の容量の容器に高水素濃度水を入れ、化粧水として使用する場合には、マグネシウムを２ｇ程度使用した方が肌への吸収性の良い水を得ることができる。
【００３２】
なお、高水素濃度化剤２２として使用されるマグネシウムは、表面が酸化されやすく、また上述のように塩化マグネシウムも表面に付着する。このため、時間の経過とともに水素の発生量や残留塩素の除去効果が低くなる。しかし、これらの問題は、１ヶ月に１回程度クエン酸等で洗浄し、酸化膜、塩化マグネシウム等のマグネシウム粒子の表面付着物を除去することにより容易に解決できる。
【００３３】
また、上述した例では、トルマリンを９ｇ使用しているが、これは５００ｍｌ程度の量の水のクラスターを小さくして水の味を良くし、また、身体への吸収性を向上させるために十分な量だからである。ただし、トルマリンも多く使用すると柱状容器１０を大きくする必要があるため、水５００ｍｌに対して１２ｇ以下とすることが好適である。このトルマリンの使用量も、水及びマグネシウムの量に比例して増減させる。
【００３４】
図４には、本実施形態にかかる高水素濃度水製造用構造物の使用例が示される。図４において、ＰＥＴボトル、スプレー付ビン等の水容器３２の中に、本実施形態にかかる高水素濃度水製造用構造物３４が２本入れられている。この本数は２本以上であればよい。このように、水容器３２に同一形状の高水素濃度水製造用構造物３４を同時に２本以上使用するのは、もし１本であると、水容器３２の口３６を下にして水を飲む際に、高水素濃度水製造用構造物３４が飛び出してきて、飲みにくく、また、危険でもあるからである。同一形状の高水素濃度水製造用構造物３４を２本以上同時に使用すれば、水容器３２の口３６の手前の肩部３８で互いに干渉し、口３６から飛び出すことを防止できる。ただし、この本数を多くしすぎると取り扱いが不便となるので、２〜３本とするのが好適である。
【００３５】
上記高水素濃度水製造用構造物３４は、水容器３２の口３６から入れられるので、柱状容器１０及び蓋１２の外径は水容器３２の口３６の内径より小さくなっている。例えば、市販されている携帯用のＰＥＴボトルの口の内径は、約２２ｍｍ程度であるので、柱状容器１０及び蓋１２の外径は１９〜２１ｍｍ程度とする。また、前述のように、柱状容器１０には、マグネシウムを５〜７ｇ、トルマリンを９〜１２ｇ入れる必要があるが、これらを上述のように２本に分けて入れるとすると、その内径を１８〜２０ｍｍ、長さを６４〜６６ｍｍとするのが好適である。
【００３６】
なお、高水素濃度水製造用構造物３４を水容器３２に入れるときには、水容器３２の中に予め水を入れておいてもよいし、高水素濃度水製造用構造物３４を入れた後で水を入れてもよい。水と高水素濃度水製造用構造物３４を水容器３２に入れた後、１０秒程度手で振り、３分程度放置すれば、十分な溶存水素濃度を有し、アルカリ性で残留塩素濃度の低い高水素濃度水を得ることができる。また、マグネシウムが水と接している限り水素を発生し続けるので、使用時まで十分な水素濃度を確保することができる。
【００３７】
【発明の効果】
以上説明したように、本発明によれば、柱状容器中に、布製の袋に収容された高水素濃度化剤を入れるので、水中で振ったときに布製の袋が振動に合わせて変形し、攪拌効果により水と高水素濃度化剤との接触が促進される。
【００３８】
また、マグネシウムと水との接触により十分な水素を常に発生でき、使用時に十分な水素濃度を容易に確保することができる。
【００３９】
また、水中で柱状容器が蓋の側を上にして立つので、発生した水素が蓋の頂部の穴から抜けやすくできる。
【００４０】
また、ＰＥＴボトル等の水容器に入れて使用する際、水を飲むときに水容器の口から高水素濃度水製造用構造物が飛び出すことを防止できる。
【図面の簡単な説明】
【図１】本発明にかかる高水素濃度水製造用構造物の一実施形態の外形の斜視図である。
【図２】図１に示された実施形態にかかる高水素濃度水製造用構造物を組み立てる際の工程図である。
【図３】マグネシウムの使用量と水の酸化還元電位及び残留塩素濃度との関係を示す図である。
【図４】図１に示された実施形態にかかる高水素濃度水製造用構造物の使用例を示す図である。
【符号の説明】
１０  柱状容器、１２  蓋、１４，１５  穴、１６  布、１８  破線、
２０  布製の袋、２２  高水素濃度化剤、２４  マグネシウム層、２６  トルマリン層、２８  開口、３０  底部、３２  水容器、３４  高水素濃度水製造用構造物、３６  口、３８  肩部。
【図１】
2004174301.tif 000004
【図２】
2004174301.tif 000005
【図３】
2004174301.tif 000006
【図４】
2004174301.tif 000007